(57)【要約】　　　（修正有）【課題】開閉するシール板、翻転する蓋などを使用することなく、充分な乾き空気が得られる冷却塔を得る。【解決手段】乾き通路は２枚の充填板１２の上端にわたり帽子体３０を冠せて接着してなる。この帽子体３０は断面∩形の長尺体で、その両側辺は各々一対の平行な脚片３０ａ、３０ｂからなり、一対の脚片３０ａと３０ｂ間に充填板１２の上端が挿入自在としてある。【選択図】　図２
2004093112.tif 000002
【特許請求の範囲】
【請求項１】
乾き通路と湿り通路を混在してなる充填体において、前記乾き通路は２枚の充填板の上端にわたり帽子体を冠せてなり、前記帽子体は断面∩形の長尺体でその両側辺は各々一対の平行な脚片からなり、一対の脚片間に前記充填板の上端が挿入自在としてあることを特徴とする冷却塔。
【請求項２】
前記帽子体はその両側辺に形成された各一対の平行な脚片間に挿入された隣接する２枚の前記充填板の上端にわたり接着されていることを特徴とする請求項１記載の冷却塔。
【請求項３】
前記帽子体はその両側辺に形成された各一対の平行な脚片間に挿入された前記充填板の上端に沿い摺動自在で、冷却塔外気取入口を形成する隣接するルーバー板間を通して交換自在としてあることを特徴とする請求項１または２記載の冷却塔。
【請求項４】
前記帽子体は合成樹脂製としてあることを特徴とする請求項１、２又は３記載の冷却塔。
【請求項５】
前記乾き通路と湿り通路が外気取入口の幅方向に間隔をおいて混在して配列され、前記冷却塔が直交流式冷却塔としてあることを特徴とする請求項１、２、３又は４記載の冷却塔。
【請求項６】
前記帽子体が前記乾き通路を形成する２枚の充填板の上端に沿いその全長に亘り配置してあることを特徴とする請求項項１、２、３、４又は５記載の冷却塔。
【請求項７】
前記充填体は塔内に多段積みされ、前記乾き通路の湿り空気通路に対する比率は下段ほど低く設定されていることを特徴とする請求項１、２、３、４、５又は６記載の冷却塔。
【請求項８】
前記充填体における最上段における乾き通路の湿り通路に対する比率が１：４の時、次段の比率は１：７としてあることを特徴とする請求項７記載の冷却塔。
【請求項９】
前記断面∩形の長尺体からなる前記帽子体の大きさは、全高さが約１５ｍｍで、その幅が約２０ｍｍとしてあることを特徴とする請求項１、２、３、４、５、６、７又は８記載の冷却塔。
【請求項１０】
前記乾き通路からの乾き空気と湿り空気通路からの湿り空気が混合した状態で過飽和空気とならずに、外気に排出される冷却塔としてあることを特徴とする請求項１、２、３、４、５、６、７又は８記載の冷却塔。
【発明の詳細な説明】
【０００１】
【発明の属する技術分野】
この発明は冷却塔用充填体及びこの充填体を装填された冷却塔に関する。
【０００２】
【従来の技術】
この種の冷却塔はこの出願以前において種々開発されたものが市場に見受けられ、特開昭６１−１８６７８２号、特開昭６１−７６８８０号、特開平３−２３００９３号公報に白煙発生防止型の冷却塔が記載されている。
【０００３】
【発明が解決しようとする課題】
前記従来技術の冷却塔においては、白煙発生量を調整するために、上下開閉可能なシール板又は水平軸周りに翻転する蓋が配置されているが、その機構が複雑であるとともに、空気専用通路に水滴が混入し、所望の乾き空気が発生しない場合があり、かつ、蓋シール板に衝突した冷却水の水滴が排気口よりキャリイオーバーするおそれがある。
この発明の目的は、開閉するシール板、翻転する蓋などを使用することな
く、充分な乾き空気を得られる冷却塔を提供することである。
【０００４】
【課題を解決するための手段】
前記課題は請求項１乃至１０記載の発明により達成される。
殊に、この冷却塔における前記帽子体は断面∩形の長尺体で、その両側辺は各々一対の平行な脚辺からなり、一対の脚片間に前記充填板の上端が挿入自在としてあることが望ましい。
【０００５】
また、前記帽子体は前記充填板の上端に沿い摺動自在で、冷却塔外気取入口を形成する隣接するルーバー板間を通して交換自在としてあることが取扱上望ましい。
前記帽子体は合成樹脂製としてあることが耐腐蝕上好ましい。
【０００６】
【発明の実施の形態】
実施の形態１
請求項１、３乃至１０記載の発明を含む代表的な実施の形態を説明する。
図１乃至図３においてＡは両側吸込み式の直交流式冷却塔であり、乾き通路１０と湿り通路１１を混在してなる充填体Ｂの上端で、外気取入口Ｃと排気口Ｄ寄りには、充填体側に散布水を案内するための散布水案内体２０が外気通路を横切る方向で配置されており、この散布水案内体２０は扁平な板材からなる。
前記充填体Ｂは多段積みされており、各段の充填体Ｂに前記散布水案内体２０が配置されている。
【０００７】
前記乾き通路１０は２枚の充填板１２の上端にわたり帽子体３０を冠せて接着してなる（図３参照）。前記帽子体３０が前記乾き通路１０を形成する２枚の充填板Ｂの上端に沿いその全長に亘り配置してある。
前記充填体側に前記散布水案内体２０は薄肉で細幅な条片からなり、その幅が約１００ｍｍで厚さが約１５ｍｍとしてあり、水滴飛散防止体を兼ねている。
前記散布水案内体２０は非透水材からなる。
前記充填体Ｂにおける乾き通路１０の湿り通路１１に対する比率は下段ほど低く設定されている。例えば、最上段における比率１：４の時、次段の比率は１：７のようにする。
前記帽子体３０は断面∩形の長尺体で（図１、図２参照）、その両側辺は各々一対の平行な脚片３０ａ、３０ｂからなり、一対の脚片３０ａと３０ｂ間に充填板１２の上端が挿入自在としてあり、その大きさは、全高さが約１５ｍｍで、その幅が約２０ｍｍとしてあり、合成樹脂製としてある。
【０００８】
この形態の冷却塔Ａの中間期、冬期の作用を次に説明する。
この冷却塔Ａの散布水装置Ｅから最上段の充填体Ｂ上に散布水を散布すると、湿り通路１１にのみ散布水が流れ、この湿り通路１１を通る空気流と散布水は直接接触し、散布水は冷却されるとともに空気流は湿り空気となり排気口Ｄ側へ流れる。
また乾き通路１０内は空気流のみが流れ、温度の高い散布水により、間接的にこの空気流は加温され、乾き空気となり排気口Ｄ側へ流れる。
この乾き空気と湿り空気が混合した状態で過飽和空気とならずに、即ち白煙を伴わずに外気に排出される。
【０００９】
各段の充填体Ｂ上に流下する散布水はその外気取入口Ｃ及び排気口Ｄ寄りに配置した前記散布水案内体２０により、充填体Ｂの湿り通路１１側へ案内され、冷却塔Ａの外気取入口Ｃ及び排気口Ｄから外方へ飛散することはない。
乾き通路１０の上端は前記帽子体３０で常時閉じた状態にあるため、従来のようなシール板の開閉機構、蓋を翻転するためのリンク機構を配置する必要がなく、
構造が簡単化し、保守、管理が容易となる。
前記前記散布水案内体２０は、非透水性であるため、この充填体Ｂ側に前記散布水案内体２０から散布水が外部へ溢水することを未然に防止できる。
【００１０】
また、乾き通路１０の湿り通路１１に対する比率を下段ほど低く設定することにより、夏期における冷却能力不足を解消できる。
なお、前記直交流式冷却塔Ａは片側吸込み式のもの（図５参照）でもこの発明としては同じである。
【００１１】
実施の形態２
請求項３記載の発明を含む代表的な実施の形態を説明する。
実施の形態１と異なる事項は、前記帽子体３０は充填板１２の上端に沿い摺動自在で、冷却塔外気取入口Ｃを形成する隣接する上下のルーバー板１３間を通して交換自在としてある（図４参照）。
【００１２】
その他は、実施の形態１と同一の符号のものは、同一の構成、作用をなす。
実施の形態１と異なる作用は次の通りである。
乾き空気の発生場所を交換する時には、先ず、帽子体３０を充填板１２の上端に沿い摺動させ、冷却塔外気取入口Ｃを形成する隣接する上下の合成樹脂製横ルーバー板１３間を通して引出し、その設置場所を変換することで各段での乾き空気の発生場所を随時変更できる（図６参照）。
【００１３】
また、乾き空気の発生量を増減（変更）したい場合には、全段における帽子体３０の設置個数を増減させ、乾き通路１０の数を増減させて、乾き空気の発生量を増減（変更）させる。
その他の作用は実施の形態１と同じである。
【００１４】
【発明の効果】
請求項１乃至請求項１０記載の発明においては、前記帽子体は断面∩形の長尺体でその両側辺は各々一対の平行な脚片からなり、一対の脚片間に前記充填板の上端が挿入自在としてあるため、乾き通路の構造を簡素化できる。乾き通路を気液接触通路に変換するための昇降可能なシール板や、翻転可能な蓋及びその駆動装置が不要となり、その保守、管理が容易化し四季を通し、乾き空気の量を一定に維持することができ、中間期、冬期の気候の変動に応じて発生する白煙の発生を未然に防止できる。
殊に、前記形状とした帽子体により乾き通路の幅を定めることができ、場所をとらずに帽子体を配置でき、その結果冷却塔の高さを低く抑えることができる。
【００１５】
殊に、請求項３記載の発明においては、前記効果に加えて、前記帽子体の取付け位置を変更でき、乾き空気の発生場所を変更できるとともに、損傷した帽子体を冷却塔の前記ルーバー板間を通して、冷却塔の外部から容易に変更できる。
【００１６】
また、請求項４記載の発明においては、前記効果に加えて、帽子体は合成樹脂製であるため、耐水性、耐腐蝕性のある帽子体で乾き通路の頂部を形成することができる。
更に、請求項７、８記載の発明においては、前記効果に加えて、大型冷却塔における冷却能力を低下させずに、中間期、冬期における白煙の発生を防止できる。
【図面の簡単な説明】
【図１】実施の形態１の概略正面図である。
【図２】図１の帽子体の側面図である。
【図３】図１の側面図である。
【図４】実施の形態２の概略正面図である。
【図５】図１の変形例を示す概略正面図である。
【図６】図４の帽子体の取外し状態を説明する図である。
【符号の説明】
Ａ　　冷却塔
３０　　帽子体
【図１】
2004093112.tif 000003
【図２】
2004093112.tif 000004
【図３】
2004093112.tif 000005
【図４】
2004093112.tif 000006
【図５】
2004093112.tif 000007
【図６】
2004093112.tif 000008